(57)【要約】【課題】  本発明は安っぽさや、見苦しくなるのを効率よく阻止し、コップの下敷きとしての使用はもちろん、缶容器のプルトップを容易に開封することができるコースターを得るにある。【解決手段】  可撓性の材質で形成されたコースター本体と、このコースター本体の外周部に縫着固定された、該コースター本体との間に缶容器のプルトップを挿入して開封することができるシート状のプルトップ係止片とでコースターを構成している。【選択図】  図１
2009207658.tif 000002
【特許請求の範囲】
【請求項１】
可撓性の材質で形成されたコースター本体と、このコースター本体の外周部に縫着固定された、該コースター本体との間に缶容器のプルトップを挿入して開封することができるシート状のプルトップ係止片とからなることを特徴とするコースター。
【請求項２】
吸水性のある可撓性の材質で方形状に形成された表面部材、この表面部材の背面に周囲が縫着固定された格子状のスベリ止め材とからなるコースター本体と、このコースター本体の少なくとも１個所の角部に縫着固定された、該コースター本体との間に缶容器のプルトップを挿入して開封することができるテープ状あるいは三角形状のシート状のプルトップ係止片とからなることを特徴とするコースター。
【発明の詳細な説明】
【技術分野】
【０００１】
本発明はコップ等の外表面に付着する水滴を受けるコースターに関する。
【背景技術】
【０００２】
従来のコースターは吸水性のシートで形成されたり、金属材等で浅皿状に形成し、栓抜き部を形成したものである。
【０００３】
このため、シート状のものはテーブル上をスベリやすかったり、安っぽく見えるという欠点があった。
また、浅皿状に形成したものは安っぽさはないが、栓抜きが上方へ突出していてじゃまになったり、コスト高で、見苦しくなるという欠点があった。
【特許文献１】実開昭６２−１０７７７２
【発明の開示】
【発明が解決しようとする課題】
【０００４】
本発明は以上のような従来の欠点に鑑み、安っぽさや、見苦しくなるのを効率よく阻止し、コップの下敷きとしての使用は勿論、缶容器のプルトップを容易に開封することができるコースターを提供することを目的としている。
【０００５】
本発明の他の目的は缶容器のプルトップを容易に開封することができるとともに、ペットボトルや瓶の蓋も容易に開封することができるコースターを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は可撓性の材質で形成されたコースター本体と、このコースター本体の外周部に縫着固定された、該コースター本体との間に缶容器のプルトップを挿入して開封することができるシート状のプルトップ係止片とでコースターを構成している。
【０００８】
本発明は吸水性のある可撓性の材質で方形状に形成された表面部材、この表面部材の背面に周囲が縫着固定された格子状のスベリ止め材とからなるコースター本体と、このコースター本体の少なくとも１個所の角部に縫着固定された、該コースター本体との間に缶容器のプルトップを挿入して開封することができるテープ状あるいは三角形状のシート状のプルトップ係止片とでコースターを構成している。
【発明の効果】
【０００９】
以上の説明から明らかなように、本発明にあっては次に列挙する効果が得られる。
【００１０】
（１）可撓性の材質で形成されたコースター本体と、このコースター本体の外周部に縫着固定された、該コースター本体との間に缶容器のプルトップを挿入して開封することができるシート状のプルトップ係止片とで構成されているので、プルトップ係止片に缶容器のプルトップを係止して引っ張ることにより、プルトップを開封することができる。
したがって、コースターとしての機能は勿論のこと、缶容器のプルトップを楽に開封する道具として使用することができる。
【００１１】
（２）前記（１）によって、プルトップ係止片はシート状であるため、コースター本体より使用時にじゃまになるように突出することがなく、コースターとしての使用感を悪化させたりするのを確実に防止することができる。
【００１２】
（３）前記（１）によって、コースター本体の外周部にシート状のプルトップ係止片を縫着固定しているので、プルトップ係止片を除く部位にコップを置くことができ、使用感を損なうことなく使用できる。
【００１３】
（４）請求項２も前記（１）〜（３）と同様な効果が得られるとともに、格子状のスベリ止め材をペットボトルや瓶のキャップに押し付けて回転させることにより、容易にキャップを開封することができる。
【発明を実施するための最良の形態】
【００１４】
以下、図面に示す本発明を実施するための最良の形態により、本発明を詳細に説明する。
【００１５】
図１ないし図６に示す本発明を実施するための最良の第１の形態において、１は本発明のコースターで、このコースター１は柔らかく、吸水性のある木綿等の素材を正方形の方形に形成した表面部材２、この表面部材２の背面に周囲が縫着固定された、ゴムや軟質合成樹脂材で格子状に形成されたスベリ止め材３とからなるコースター本体４と、このコースター本体４の表面の一個所の角部に縫着固定された三角形状のシート状のプルトップ係止片５とで構成されている。
【００１６】
前記プルトップ係止片５はコースター本体４の角部に、角部が一致するように配置され、該コースター本体４の角部の外周部４ａ、４ａと対応するプルトップ係止片５の外周部５ａ、５ａが縫着固定部６されるとともに、プルトップ係止片５とコースター本体４との間に缶容器７のプルトップ８が挿入された時に、プルトップ係止片５が大きく開口するのを阻止できるようにプルトップ係止片５の両側部をコースター本体４に縫着固定部９、９している。
【００１７】
上記構成のコースター１はコースター本体４のスベリ止め材３をテーブルに置き、表面部材２上にコップを置いて使用することにより、スベリ止め材３でテーブル上をコースター１やコップ１０がすべることなく位置できるとともに、コップ１０の外表面に付着して下方へ垂れ下がる水滴を、表面部材２で吸水してきれいに使用することができる。
また、缶容器７のプルトップ８を開封する場合、プルトップ８をコースター本体４とプルトップ係止片５との間に挿入し、プルトップ８を開封する方向にコースター１を引っ張ることにより、プルトップ８を容易に開封することができる。
【００１８】
ペットボトルや瓶１１のキャップ１２を外す場合、キャップ１２にコースター本体４のスベリ止め材３を、図６に示すように周囲に位置するように配置して回転させることにより、容易にキャップ１２を外すことができる。
[発明を実施するための異なる形態]
【００１９】
次に、図７ないし図１５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図７ないし図９に示す本発明を実施するための第２の形態において、前記本発明を実施するための最良の第１の形態と主に異なる点は、長方形状の方形のコースター本体４Ａの表面の一個所の角部側にテープ状のプルトップ係止片５Ａを縫着固定部６で固定した点で、このように構成したコースター１Ａにしても、前記本発明を実施するための最良の第１の形態と同様な作用効果が得られる。
【００２１】
図１０ないし図１２に示す本発明を実施するための第３の形態において、前記本発明を実施するための最良の第１の形態と主に異なる点は、円形状のコースター本体４Ｂを用いて、その一部の外周部に外周部がコースター本体４Ｂの外周部とほぼ同じ円弧形状のシート状のプルトップ係止片５Ｂを縫着固定６、９、９した点で、このように構成したコースター１Ｂにしても、前記本発明を実施するための最良の第１の形態と同様な作用効果が得られる。
【００２２】
図１３ないし図１５に示す本発明を実施するための第４の形態において、前記本発明を実施するための最良の第１の形態と主に異なる点は、可撓性で吸水性の木綿や不織布の材質を用いて形成したコースター本体４Ｃを用いた点で、このようなコースター本体４Ｃを用いたコースター１Ｃにしても、缶容器のプルトップを容易に開封することができる。
【００２３】
なお、前記本発明を実施するための形態では、１個のシート状のプルトップ係止片をコースター本体の表面に設けるものに付いて説明したが、デザインや美観の向上のため複数個のプルトップ係止片をコースター本体の表面や、背面に設けても良い。
【産業上の利用可能性】
【００２４】
本発明はコースターを製造する産業で利用される。
【図面の簡単な説明】
【００２５】
【図１】本発明を実施するための最良の第１の形態の平面図。
【図２】本発明を実施するための最良の第１の形態の底面図。
【図３】図１の３−３線に沿う断面図。
【図４】コースターとしての使用説明図。
【図５】缶容器のプルトップを開封する場合の説明図。
【図６】キャップを外す場合の説明図。
【図７】本発明を実施するための第２の形態の平面図。
【図８】本発明を実施するための第２の形態の底面図。
【図９】図７の９−９線に沿う断面図。
【図１０】本発明を実施するための第３の形態の平面図。
【図１１】本発明を実施するための第３の形態の底面図。
【図１２】図１０の１２−１２線に沿う断面図。
【図１３】本発明を実施するための第４の形態の平面図。
【図１４】本発明を実施するための第４の形態の底面図。
【図１５】図１３の１５−１５線に沿う断面図。
【符号の説明】
【００２６】
１、１Ａ、１Ｂ、１Ｃ：コースター、
２：表面部材、                ３：スベリ止め材、
４、４Ａ、４Ｂ、４Ｃ：コースター本体、
５、５Ａ、５Ｂ：プルトップ係止片、    
６：縫着固定部、              ７：缶容器、
８：プルトップ、              ９：縫着固定部、
１０：コップ、                １１：ペットボトルや瓶、
１２：キャップ。
【図１】
2009207658.tif 000003
【図２】
2009207658.tif 000004
【図３】
2009207658.tif 000005
【図４】
2009207658.tif 000006
【図５】
2009207658.tif 000007
【図６】
2009207658.tif 000008
【図７】
2009207658.tif 000009
【図８】
2009207658.tif 000010
【図９】
2009207658.tif 000011
【図１０】
2009207658.tif 000012
【図１１】
2009207658.tif 000013
【図１２】
2009207658.tif 000014
【図１３】
2009207658.tif 000015
【図１４】
2009207658.tif 000016
【図１５】
2009207658.tif 000017